(57)【特許請求の範囲】
【請求項１】
硬貨受入口の下方に、前記硬貨受入口から落下する硬貨を直接受け止め、かつ所定の硬貨通路へ案内するゲートレールをスナップアクションにて嵌着支承するスナップ式ゲートレール支承手段を形成するようにしたことを特徴とする硬貨選別装置。
【請求項２】
前記スナップ式ゲートレール支承手段は、前記ゲートレールが嵌挿する孔と、該孔内に嵌挿したゲートレールに係合する弾性変形自在な係合爪からなることを特徴とする請求項(1）記載の硬貨選別装置。
【請求項３】
装置本体を構成するメインプレートに、投入硬貨を格別の硬貨通路へ振り分ける硬貨振分レバー駆動用のソレノイドをスナップアクションにて嵌着支承するスナップ式ソレノイド支承手段を形成するようにしたことを特徴とする硬貨選別装置。
【請求項４】
前記スナップ式ソレノイド支承手段は、前記ソレノイドの筐体を嵌着支承する弾性変形自在な係合舌片からなることを特徴とする請求項(3）記載の硬貨選別装置。
【発明の詳細な説明】
【０００１】
【発明の属する技術分野】
この発明は、投入硬貨の正偽と正貨の金種を選別する硬貨選別装置に関し、特に硬貨選別装置を構成する独立部品の取付け構造に関する。
【０００２】
【従来の技術】
一般に、投入硬貨の正偽と正貨の金種とを判別し、投入硬貨をそれぞれ格別の硬貨通路に振り分けて選別する装置として硬貨選別装置が提供されている。
【０００３】
この硬貨選別装置では、硬貨受入口の直下に当該硬貨受入口から落下する硬貨を直接受け止め、かつこの受け止めた硬貨を、投入硬貨の正偽と正貨の金種とを判別するコイルセンサーと称される電子式硬貨判別手段が配設された硬貨通路へ案内する金属製のゲートレールが配設されている。
【０００４】
一方、この電子式硬貨判別手段が配設された硬貨通路を通過する硬貨は、その通過の間に当該電子式硬貨判別手段によりその正偽と金種別判定がなされる。
【０００５】
また、上述した硬貨通路を通過した投入硬貨は、当該硬貨通路から分岐した複数の硬貨通路へさらに案内される。この複数の硬貨通路の各分岐点には上述した電子式硬貨判別手段の硬貨判別信号に基づいて駆動され、投入硬貨を分岐された各硬貨通路へ振り分ける硬貨振分レバーが配設され、これにより投入硬貨の正偽と、正貨の金種別選別とが行われる。
【０００６】
なお、上述した硬貨振分レバーは、前記電子式硬貨判別手段の硬貨判別信号に基づいて作動するソレノイドにより駆動される。
【０００７】
一方、上述した硬貨選別装置を構成する独立部品の一つである前記ゲートレール、および硬貨振分レバーを駆動するソレノイドは、従来ではネジを用いて、硬貨選別装置の所定箇所に取り付けられる構造であった。
【０００８】
即ちゲートレールは硬貨受入口を開閉するゲートプレートにネジにより取り付けられ、また硬貨振分レバーを駆動するソレノイドは、硬貨選別装置の装置本体を構成するメインプレートの背面にネジをもちいて取り付けられる。
【０００９】
【発明が解決しようとする課題】
ところで、上述した従来の硬貨選別装置によると、当該硬貨選別装置を構成する独立部品であるゲートレールおよびソレノイドはネジを用いて硬貨選別装置の所定の位置に取り付ける構造であるから、その取り付けおよび取り外し作業が煩雑で、このため硬貨選別装置の組立て工程数および保守点検時における作業工程が増大し、これが要因となって、硬貨選別装置そのものコストアップ、および保守点検作業費のコストアップを招来していた。
【００１０】
この発明は、上述した事情に鑑み、独立部品の取り付けおよび取り外しが簡単な硬貨選別装置を提供することを目的とする。
【００１１】
【課題を解決するための手段】
上述した課題を解決するため、この発明に係わる第１の硬貨選別装置では、硬貨受入口の下方に、前記硬貨受入口から落下する硬貨を直接受け止め、かつ所定の硬貨通路へ案内するゲートレールをスナップアクションにて嵌着支承するスナップ式ゲートレール支承手段を形成するようにしている。
【００１２】
また、この発明に係わる第２の硬貨選別装置では、装置本体を構成するメインプレートに、投入硬貨を格別の硬貨通路へ振り分ける硬貨振分レバー駆動用のソレノイドをスナップアクションにて嵌着支承するスナップ式ソレノイド支承手段を形成するようにしている。
【００１３】
【発明の実施の形態】
以下、この発明に係わる硬貨選別装置の一実施例を詳述する。
【００１４】
図１はこの発明に係わる硬貨選別装置１の正面図である。
【００１５】
この硬貨選別装置１は、特にパチンコ台等の遊戯台間に配設され、径の異なる２種類の硬貨と、それ以外の種類の硬貨を偽貨と判断して選別する比較的選別金種の少ない小型の硬貨選別装置である。
【００１６】
この硬貨選別装置１は、硬貨受入口２が上面に形成されたメインプレート３からなり、その上部正面は開閉自在なゲートプレート４に覆われ、下部正面はフロントカバー５により覆われている。
【００１７】
このゲートプレート４とメインプレート３との間には、硬貨受入口２から投入された硬貨６を案内する硬貨通路７が形成され、またこの硬貨通路７には投入硬貨の正偽と正貨の金種とを判別する電子式硬貨判別手段８が配設されている。
【００１８】
また、フロントカバー５に覆われた部分のメインプレート３には、投入硬貨を振分ける後述する硬貨振分レバーと、この硬貨振分レバーにより振り分けられた硬貨を金種別に案内する複数の硬貨通路が形成されている。
【００１９】
一方、上述したゲートプレート４には、前記硬貨受入口２の下方位置に、当該硬貨受入口２から落下する硬貨６を直接受け止め、かつ硬貨通路７へ案内するゲートレール１０をスナップアクションにて嵌着支承するスナップ式ゲートレール支承手段２０が形成されている。
【００２０】
次に上述したゲートレール１０およびスナップ式ゲートレール支承手段２０を詳述する。
【００２１】
図２はゲートプレート４の要部破断組立分解斜視図である。
【００２２】
この図２において、ゲートレール１０は金属製の板材１１により形成されており、後方の両側方には係合片１２、１３が延設され、その係合片１２、１３間には係合凹部１４が形成されている。
【００２３】
一方、スナップ式ゲートレール支承手段２０は、前記ゲートレール１０の前部１０ａを嵌挿する孔２１と、この孔２１内に嵌着したゲートレール１０の後方１０ｂを支承する弾性変形自在な係合爪２２とから構成されている。
【００２４】
この係合爪２２は、その基端２２ａがゲートプレート４に固着されており、その係合爪２２を構成する自由端２２ｂは孔２１の上方へ向けて延設され、その途中に係合爪２２が基端２２ａを中心に前後および上下方向へ弾性変形自在となるよう略円弧形状の湾曲部２２ｃが形成されている。
【００２５】
また、前記孔２１の下部内周壁にはゲートレール１０の下面１１ａを支承する一対の支持プレート２１ａ、２１ｂが一体に形成されている。なお、ゲートレール１０を構成する板材１１の上面１１ｂは、前記孔２１の上部内周壁２１ｃが支える構造となっている。
【００２６】
上述したスナップ式ゲートレール支承手段２０によると、図２の矢印Ａで示すように、ゲートレール１０を孔２１に接近させ、その先端１０ａを前記孔２１の上部内周壁２１ｃと係合爪２２の自由端２２ｂ間に嵌挿させると、係合爪２２の湾曲部２２ｃが弾性変形して下方に移動し、そのため孔２１の上下間が拡開しゲートレール１０の先端１０ａが嵌挿する。その嵌挿の際、ゲートレール後端１０ｂに形成された係合凹部１４が係合爪２２の自由端２２ｂを通過すると、係合爪２２の湾曲部２２ｃがその弾性により初期位置に復帰するので、図３で示すように、係合爪２２の自由端２２ｂがゲートプレート１０の係合凹部１４と係合して当該ゲートプレート１０を孔２１内にスナップアクションで嵌着支承する。
【００２７】
なお、図３のＢＢ断面で示す図４のようにゲートレール１０を構成する板材１１の下面１１ａは、一対の支持プレート２１ａ、２１ｂの傾斜した上面２１ｄ、２１ｅに支承され、また板材１１の上面１１ｂは上述したように孔２１の上部内周壁２１ｃに支承される。
【００２８】
なお、図３で示すように、ゲートレール１０が孔２１ｃ内にスナップアクションで嵌着支承されると、ゲートプレート１０の一対の係合片１２、１３が孔２１の周縁と係合し、その抜け止めが図られることとなる。
【００２９】
なお、この図３に示すスナップ式ゲートレール支承手段２０を構成する孔２１内から、ゲートレール１０を取り外すには、係合爪２２の自由端２２ｂを若干手前に引いて湾曲させ、当該自由端２２ｂとゲートレール１０の係合凹部１４との係合を解除すれば、当該ゲートレール１０はスナップ式ゲートレール支承手段２０を構成する孔２１内から簡単に取り外すことができる。
【００３０】
一方、この発明の硬貨選別装置１には、その要部破断背面図で示す図５のように、メインプレート３には前記硬貨通路７（図１）に連通する硬貨通路３ｂが形成され、またこの硬貨通路３ｂ内には、投入硬貨を当該硬貨通路３ｂから分岐した図示せぬ各硬貨通路に振分ける二つの硬貨振分レバー３０、３１が配設されている。
【００３１】
この二つの硬貨振分レバー３０、３１はメインプレート３の背面３ａに配設された二本のソレノイド４０、４１により駆動される構造となっており、この二本のソレノイド４０、４１は、メインプレート３の背面３ａに形成されスナップアクションにて二本の各ソレノイド４０、４１を嵌着支承するスナップ式ソレノイド支承手段５０、５１により支承されている。
【００３２】
次に上述したスナップ式ソレノイド支承手段５０、５１を詳述するが、この各スナップ式ソレノイド支承手段５０、５１は基本的に同一構造なので、一方のソレノイド４０を嵌着支承する一方のスナップ式ソレノイド支承手段５０を代表して説明し、他方のスナップ式ソレノイド支承手段５１の説明は省略する。
【００３３】
図６は、上述したソレノイド４０およびスナップ式ソレノイド支承手段５０を示す要部破断組立分解斜視図で、図５と同一部分を同一符号で示す。
【００３４】
このソレノイド４０は、その中心部に配設された電磁コイル４１と、その周囲を囲繞する金属製の筐体４２からなり、その中心部には復帰スプリング４３を嵌挿させたプランジャ４４がスライド自在に支承されている。またこのプランジャ４４の先端には小径部４４ａが形成され、この小径部４４ａには断面Ｌ字形状に形成された操作レバー４５の先端４５ａがスナップアクションで嵌着支承されている。なお、この操作レバー４５の先端４５ａには断面Ｖ字形状の切り欠４５ｂが形成され、前記プランジャ４４の先端に形成された小径部４４ａは前記切り欠４５ｂの底部に形成された孔４５ｅに着脱自在に支承されている。なお、前記操作レバー４５の後端４５ｃには硬貨振分レバー３０の駆動アーム３０ａと係合する切り欠４５ｄが形成されている。
【００３５】
一方、上述したソレノイド４０を構成する筐体４２の周面所定位置、実施例では筐体４２の両側面４２ａ、４２ｂには、それぞれスナップ式ソレノイド支承手段５０の各係合舌片５６、５７に係合する係合孔４２ｃ、４２ｄが穿設されている。
【００３６】
次に、上述したスナップ式ソレノイド支承手段５０を詳述する。
【００３７】
図６に示すように、メインプレート３の背面３ａ所定位置にはスナップ式ソレノイド支承手段５０が配設されている。
【００３８】
このスナップ式ソレノイド支承手段５０は、ソレノイド４０の筐体４２をメインプレート３の背面３ａの所定位置に位置決めする位置決めブロック５２、５３、５４、５５と、スナップアクションにてソレノイド４０の筐体４２を嵌着支承する一対の係合舌片５６、５７とから構成されている。
【００３９】
このうち、一方の係合舌片５６はソレノイド４０を構成する筐体４２の一側面４２ａに穿設された前記係合孔４２ｃと対応する位置に、また他方の係合舌片５７は筐体４２の他側面４２ｂに穿設された係合孔４２ｄと対応する位置にそれぞれ立設されている。
【００４０】
このうち、一方の係合舌片５６は、所定間隔を設けて立設された一対の第１および第２の舌片５６ａ、５６ｂと、その上部を連結するブリッジの５６ｃの略中央から下方へ向け延設された第３の舌片５６ｄとからなり、全体として略Ｍ字形をしている。またその第３の舌片５６ｄの下端には前記ソレノイド４０を構成する筐体４２の一側面４２ａに穿設された係合孔４２ｃ内に嵌着する突起５６ｅが突設されている。
【００４１】
また他方の係合舌片５７は、上方へ向け立設された第１の舌片５７ａと、この第１の舌片５７ａの上端から下方へ向けて延設された第２の舌片５７ｂとからなり、全体として略Ｕ字形に形成されている。またその第２の舌片５７ｂの下端には前記ソレノイド４０を構成する筐体４２の他側面４２ｂに穿設された係合孔４２ｄ内に嵌着する突起５７ｃが突設されている。
【００４２】
なお、この係合舌片５６、５７および位置決めブロック５２、５３の各上方には筐体４２の嵌挿を容易にするため傾斜面６０が形成されている。
【００４３】
なお、図６で符号３０ａは硬貨振分レバー３０を軸３０ｂを中心に回動させる駆動アームである。
【００４４】
上述したスナップ式ソレノイド支承手段５０によると、図６の矢印Ｃで示すように、ソレノイド４０の筐体４２を操作レバー４５とともに下降させると、図７で示すように、ソレノイド４０の筐体４２が各位置決めブロック５２、５３、５４、５５により、その装着位置が位置決めされ、かつ一対の係合舌片５６、５７に突設された各突起５６ｅ、５７ｃが対応する各係合孔４２ｃ、４２ｄ内にスナップアクションで嵌着する。また同時に操作レバー４５の切り欠４５ｄが硬貨振分レバー３０の駆動アーム３０ａに嵌挿し係合する。
【００４５】
なお、筐体４２が一対の係合舌片５６、５７間に嵌挿する際には、各一対の係合舌片５６、５７がその基端（メインプレート３側）を中心に外側へ向け弾性変形するので、その嵌挿作業は容易である。
【００４６】
また特に一対の係合舌片５６、５７のうち、係合片５６は略Ｍ字形に形成され、また係合舌片５７は略Ｕ字形に形成されて、各係合舌片５６、５７とも、その各基端から突起５６ｅ、５７ｃに至るまでの舌片長を長く設定するようにしたから、各係合片５６、５７とも、その基端からの高さを低く設定しつつ、その突起５６ｅ、５７ｃ部分の弾性変形の度合いを大きく設定することができ、このためスナップアクションによるソレノイド４０の嵌着作業が容易となる。
【００４７】
なお、ソレノイド４０を取り外す場合は、各係合片５６、５７を外側に変形させて各突起５６ｅ、５７ｃと対応する各係合孔４２ｃ、４２ｄとの嵌合を解除させ、その後、矢印Ｄで示すようにソレノイド４０を上方に持ち上げれば、当該ソレノイド４０はメインプレート３から容易に取り外すことができる。
【００４８】
なお、図７でソレノイド４０に通電すると、プランジャ４４が電磁コイル４１側に吸引され、これにより操作レバー４５を矢印Ｅ側に移動させて係合する駆動アーム３０ａを軸３０ｂを中心に反時計方向へ回転させる。またソレノイド４０への通電を停止すると、プランジャ４４は復帰スプリング４３の付勢力により初期位置に復帰し、同時に操作レバー４５を矢印Ｆ方向へ移動させて、振分けレバー３０の駆動アーム３０ａを軸３０ｂを中心に時計方向へ回転させて、その初期位置に復帰せる。
【００４９】
なお、上記各実施例では本願発明を、特にパチンコ台等の遊戯台間に配設され、径の異なる２種類の硬貨と、それ以外の硬貨を偽貨と判断して選別する比較的選別金種の少ない小型の硬貨選別装置１に適用した場合について詳述したが、この発明は上記実施例にかかわらず、自動販売機等内に配設される多金種選別用の大型の硬貨選別装置に適用してもよい。
【００５０】
【発明の効果】
以上説明したように、この発明に係わる硬貨選別装置では、当該硬貨選別装置を構成する独立部品、特にゲートレールと硬貨振分レバーを駆動するソレノイドとをスナップアクションにて硬貨選別装置の所定位置に着脱自在に支承させるようにしたから、簡単な操作でゲートレールとソレノイドの着脱が行え、このため特に硬貨選別装置の組み立て作業においては製造工程減となり組立作業性が大幅に向上するとともに、硬貨選別装置の保守点検作業も極めて迅速かつ容易に行われ、これにより硬貨選別装置製造のコストダウン、および保守点検作業費のコストダウンを図ることができる。
【図面の簡単な説明】
【図１】図１はこの発明に係わる硬貨選別装置の正面図。
【図２】図２はこの発明に関わる硬貨選別装置の要部拡大組立分解斜視図。
【図３】図３はこの発明に係わる硬貨選別装置の要部拡大組立分解斜視図。
【図４】図４は図３のＢＢ断面図。
【図５】図５はこの発明に係わる硬貨選別装置の要部破断背面図。
【図６】図６はこの発明に係わる硬貨選別装置の要部拡大組立分解斜視図。
【図７】図７はこの発明に係わる硬貨選別装置の要部拡大組立分解斜視図。
【符号の説明】
１…硬貨選別装置
２…硬貨受入口
３…メインプレート
７…硬貨通路
１０…ゲートレール
２０…スナップ式ゲートレール支承手段
２１…孔
２２…係合爪
３０、３１…硬貨振分レバー
４０、４１…ソレノイド
５０、５１…スナップ式ソレノイド支承手段
５６、５７…係合舌片
【図１】
0003653608.tif 000002
【図２】
0003653608.tif 000003
【図３】
0003653608.tif 000004
【図４】
0003653608.tif 000005
【図５】
0003653608.tif 000006
【図６】
0003653608.tif 000007
【図７】
0003653608.tif 000008